(57)【要約】      （修正有）【課題】粘着シートロールを回転可能に軸支するヨーク部に把持部を設けた粘着クリーナーを提供する。【解決手段】粘着シートロール５を回転可能に軸支するヨーク部３に把持部を設けた粘着クリーナーにおいて、粘着シートロールの回転軸を偏心位置に設け、又は粘着シートロールを断面楕円形状もしくは断面略多角形状に設定して、把持部を水平に移動させた際に粘着シートロールの衝合面が被清掃面に対して上下に揺動しながら回転するように設定する。【選択図】図１
0003170444.tif 000002
【実用新案登録請求の範囲】
【請求項１】
粘着シートロールを回転可能に軸支するヨーク部に把持部を設けた粘着クリーナーにおいて、
粘着シートロールの回転軸を偏心位置に設け、又は粘着シートロールを断面楕円形状もしくは断面略多角形状に設定して、把持部を水平に移動させた際に粘着シートロールの衝合面が被清掃面に対して上下に揺動しながら回転するように設定されたことを特徴とする粘着クリーナー。
【請求項２】
粘着シートロールが、ヨーク部に回転可能に軸支された回転体に外嵌してなることを特徴とする請求項１に記載の粘着クリーナー。
【請求項３】
粘着シートロールの巻芯が、柔軟性を有する素材からなっており、回転体の外周面に倣って前記巻芯を介して粘着シートロールを変形させてなることを特徴とする請求項２に記載の粘着クリーナー。
【請求項４】
粘着シートロールが、軸心としての回転体を一体に有してなることを特徴とする請求項１に記載の粘着クリーナー。
【請求項５】
粘着シートロールが、断面楕円形状又は断面多角形状からなっていることを特徴とする請求項１から３のいずれかに記載の粘着クリーナー。
【請求項６】
粘着シートロールが、断面楕円形状又は断面多角形状からなっており、回転中心が偏心していることを特徴とする請求項４に記載の粘着クリーナー。
【考案の詳細な説明】
【技術分野】
【０００１】
この考案は、ハンディ式の粘着クリーナーであって、絨毯等に入り込んだゴミであっても容易に清掃することができるものである。
【背景技術】
【０００２】
ハンディ式の粘着ロールは、円筒状の粘着シートロールを回転させて被清掃面の表面に付着するゴミを取り去ることができるが、畳の目や絨毯などの内部に入り込んだゴミや埃などをきれいに取り除くことができなかった。
そこで、例えば特開２０００−２２５０８４のクリーナーでは、掻取部材は、円筒形の芯材の外周表面に、掻取シートを張り付けた構成になっている。
この掻取シートは、シート状の基部の外周表面に、弾性変形可能な多数の微小な鉤状突起部が、相互間に微小間隔を開けて設けられている。
従って、ローラーに装着された掻取部材を、カーペットに対して転動させると、カーペットの中に入り込んだ毛髪等が鉤状突起部材により掻き取られ、細かいゴミ等は粘着層に吸着される構成となっている。
しかし、上記構成では、特別の構造の粘着シールを用いる必要があり、コストアップを余儀なくされる。
また鉤状突起部に引っ掛からないゴミについては、従来と同様に取り去ることができないという不具合があった。
【先行技術文献】
【特許文献】
【０００３】
【特許文献１】特開２０００−２２５０８４号公報
【考案の概要】
【考案が解決しようとする課題】
【０００４】
この考案が解決しようとする問題点は、簡単な構造で、被清掃面に物理的な振動を与えることで内部から表面に浮き上がったゴミを粘着シートに付着させて清掃することができる粘着クリーナーを提供することにある。
この考案の別の課題は、汎用性のある筒型の粘着シートロールを用いても同様にゴミを浮き上がらせることができるようにした粘着クリーナーを提供することにある。
【課題を解決するための手段】
【０００５】
この考案は、粘着シートロールを回転可能に軸支するヨーク部に把持部を設けた粘着クリーナーにおいて、粘着シートロールの回転軸を偏心位置に設け、又は粘着シートロールを断面楕円形状もしくは断面略多角形状に設定して、把持部を水平（中立）方向に移動させた際に粘着シートロールの衝合面が被清掃面に対して上下に揺動しながら回転するように設定されたことを特徴とする。
【考案の効果】
【０００６】
この考案の粘着クリーナーは、ハンドルのグリップを水平方向に引っ張って粘着シートロールを被清掃面上に回転させることで、粘着シートロールは、その回転軸が偏心しており、又は断面楕円形状もしくは断面略多角形状に形成されているために、被清掃面との間に落差が生じ上下に揺動しながら回転するので、畳や絨毯マット等の被清掃面を叩いてその内部に入り込んでいるゴミや埃を浮き上がらせ、粘着シートに貼り付けて清掃することができる。
また、クリーナー本体に設けられた回転体に、円筒状の粘着シートロールを外嵌して装着する場合には、前記回転体の回転軸を偏心位置に設けたり、または回転体の外周形状を断面楕円形状もしくは略多角形状に形成することで、既存の円筒状の粘着シートロールを嵌め込むだけで、偏心させたり、外周形状を変形させることができる。
【図面の簡単な説明】
【０００７】
【図１】実施例１の粘着クリーナーの取付状態を示す分解斜視図である。
【図２】実施例１の粘着シートロールの回転状態を示す説明図である。
【図３】実施例２の粘着クリーナーの取付状態を示す分解斜視図である。
【図４】実施例２の粘着シートロールの回転状態を示す説明図である。
【図５】実施例３の粘着クリーナーの分解斜視図である。
【図６】実施例３の粘着シートロールの回転状態を示す説明図である。
【図７】実施例４の粘着クリーナーの取付状態を示す分解斜視図である。
【図８】実施例４の粘着シートロールの回転状態を示す説明図である。
【考案を実施するための形態】
【０００８】
この考案の粘着クリーナーは、グリップを下方向に押し付けず水平（中立）方向に移動させた際に粘着シートロールが被清掃面に対して上下に揺動しながら回転するようにして、被清掃面の表面を叩きながら内部のゴミや塵を浮き上がらせて清掃することを主要な特徴とする。
以下に、この考案の粘着クリーナーの好適実施例について図面を参照しながら説明する。
【実施例１】
【０００９】
図１は、実施例１の粘着クリーナー１の分解斜視図である。
この粘着クリーナー１は、グリップ２と、グリップ２に固着されたヨーク部３と、該ヨーク部３に回転可能に軸支された筒状の回転体４と、該回転体４に交換可能に外嵌する筒状の粘着シートロール５とからなっている。
【００１０】
グリップ２は、略円柱状からなっている。
このグリップ２の先端には、グリップ２の軸線に沿って延びるヨーク部３が一体に固着されている。
【００１１】
該ヨーク部３は、グリップ２の軸線に沿って延びる直線部３ａと、その先端で略直角に折れ曲がりヘアピン状に曲成される折曲り部３ｂとからなっており、該折曲り部３ｂの先端側でグリップ２と直交する軸受杆部３ｃが筒状の回転体４を軸受けしている。
【００１２】
ここで軸受杆部３ｃは、断面円形の回転体４の中心から一方へずれた偏心位置で軸受されるように設定される。
即ち、回転体４に設けられた軸受杆部３ｃを挿通するための軸受孔４ａは、回転体４の中心からずれた位置に穿設されている。
従って、回転体４は軸受杆部３ｃの嵌合位置を回転の中心点として偏心回転する。
【００１３】
粘着シートロール５は、外面側に粘着面を設け、内面側に剥離面を設けた粘着シールを円筒状の巻芯５Ａに沿ってロール状に捲回したもので、中央に前記回転体４を嵌合する中空孔５ａを有する公知形状からなっている。
この粘着シートロール５は、通常の断面円形の回転体の中心が回転軸になる従来の粘着クリーナーにも用いることができる汎用品を用いることができる。
【００１４】
この粘着シートロール５の中空孔５ａに回転体４の外周面をほぼ隙間無く嵌合係止することで、粘着シートロール５が回転体４に装着され一体に回転させることができる。
本実施例では回転体４と粘着シートロール５とを別体とし粘着シートロール５を交換可能とした構成を示したが、粘着シートロール５の軸心として回転体４と同一構造の芯材を一体に設けたものでもよい。
【００１５】
そこで、使用者は前記グリップ２を把持し、これを下方向に押し付けることなく水平方向に引っ張ることで、粘着シートロール５の回転の中心点となる軸受杆部３ｃも水平方向に移動しようとするので、図２に示すように、回転体４及びそれに外嵌された粘着シートロール５は被清掃面１０との落差により上下に揺動しながら回転するので、被清掃面１０上を上から叩きつけるようにして回転して、被清掃面１０の表面の塵埃はもちろん、内部に入り込んだ塵埃をも浮き上がらせて粘着シートロール５の粘着面に付着させることができる。
【実施例２】
【００１６】
実施例２の粘着クリーナー１は、回転体４を断面円形状とせずに断面楕円形状とした場合を示す。
この考案で、「楕円形」とは、狭義の楕円形に限らず、いわゆる卵形や、対向して離間する一対の半径を同じくする半円を直線でつないだ長円形状も含まれるものとする。
【００１７】
これらの回転体４は、その中心位置に回転中心があっても、外周面に少なくとも１つ以上の平面乃至湾曲面を有しているので、粘着シートロール５の回転時に回転中心を水平方向に移動させた場合に、平行移動せずに、図４に示すように、回転中心から粘着シートロール５の最下端位置から被清掃面１０への距離が一定ではなく変化する。
従って、この場合も実施例１と同様に、使用者は前記グリップ２を把持し、これを水平方向に引っ張ることで、回転する粘着シートロール５は、被清掃面１０に対して上下方向に揺動しながら回転させることができる。
【００１８】
回転体４を断面楕円形状とし、その外周の長さを粘着シートロール５の中空孔５ａの内周の長さと一致させることで、回転体４に外嵌する円筒状の粘着シートロール５の外周形状も、回転体４に外嵌させることでこれに倣って断面楕円形状の粘着シートロール５’に変形させることができる。
ここで粘着シートロール５の巻芯５Ａは紙材で柔軟性が無い場合には、巻芯５Ａには柔軟性を有する紙材又は樹脂材などを用いておけば、回転体４の形状に倣って粘着シートロール５を変形しやすく、好ましい。
この場合も、粘着シートロール５として予め特別の形状のものを準備しておく必要がない。
【００１９】
回転体４やこれに嵌合した粘着シートロール５の外周形状は、断面略楕円形状とすることが、変形させやすく好ましいが、その他の形状であってもよい。
例えば、回転体４は断面多角形状であってもよい。
この場合、角部が湾曲面状に面取りされた形状であれば回転をスムーズに行うことができて好ましい。
【実施例３】
【００２０】
実施例３の粘着クリーナー１は、回転体４を多角形状の一例として断面四角形状とすることで、これに外嵌した粘着シートロール５もこれに倣って相似形状に変形させることができる。
この場合も、回転中心を水平方向に移動させた場合に、粘着シートロール５の最下端位置から被清掃面１０への距離が一定ではなく落差が生じるので上下方向に揺動させることができる。
【００２１】
従って、この場合も前記実施例と同様に、使用者は前記グリップ２を把持し、これを水平に引っ張ることで、回転する粘着シートロール５は、被清掃面１０に対して上下方向に揺動しながら回転させることができる（図５及び図６参照）。
【実施例４】
【００２２】
図７及び図８には実施例４の粘着クリーナー１を示す。
前記実施例２、３では、粘着シートロール５の回転軸は粘着シートロール５の中央である場合を例示したが、前記実施例１と同様に中心から一方へ偏心させる構成としてもよい。
この場合は、上下への揺動が更に大きくなるので、大きな振動を与えることができる。
【００２３】
実施例４では、粘着クリーナー１は前記実施例と同様であってもよいが、異なる形状を例示する。
この粘着クリーナー１は、筒状のグリップ２と、該グリップ２の先端に固定された略コ字状のヨーク部３と、該ヨーク部３に軸支される粘着シートロール５とからなっている。
【００２４】
グリップ２の先端はヨーク部３の中央に固定されており、ヨーク部３の左右のアーム３Ａには、軸受孔３ｄが穿設されている。
粘着シートロール５は、回転体４と一体の場合を例示するが、前記実施例のように別体であってもよい。
【００２５】
ここで、回転体４には偏心軸４ａが左右に突設されており、前記軸受孔３ｄに嵌合して軸受けされている。
ここで軸受孔３ｄに替えて突軸を設け、偏心軸４ａに替えて前記突軸を軸受けする偏心孔を設けてもよい。
【００２６】
この場合、粘着シートロール５が断面非円形であって、且つ回転中心が偏心しているので、回転中心を水平に移動させた場合に、粘着シートロール５の最下端位置から被清掃面１０への距離が一定ではなく変化するので、被清掃面１０を叩きながら粘着クリーナー１を回転させることができる。
【００２７】
粘着クリーナーには把持部としてグリップを設けたが、ヨーク部を被清掃面に押し付けることなく、水平に引きやすいように紐や輪などを設けてもよい。
その他、この考案は上記実施例に限定されるものではなく、要するにこの考案の要旨を変更しない範囲で種々変更することができる。
【符号の説明】
【００２８】
１    粘着クリーナー
２    グリップ
３    ヨーク部
３ａ  直線部
３ｂ  折曲り部
３ｃ  軸受杆部
４    回転体
４ａ  軸受孔
５    粘着シートロール
５ａ  中空孔
１０    被清掃面
【図１】
0003170444.tif 000003
【図２】
0003170444.tif 000004
【図３】
0003170444.tif 000005
【図４】
0003170444.tif 000006
【図５】
0003170444.tif 000007
【図６】
0003170444.tif 000008
【図７】
0003170444.tif 000009
【図８】
0003170444.tif 000010